(57)【要約】【課題】予定される大きさや量を越える釣り用小物をピンオンリールに支持させた場合でも、これらの釣り用小物が邪魔になる虞が少なく、また、帯状片が常に邪魔になるという虞も少ない釣り用衣服を提供する。【解決手段】釣り用小物を支持するピンオンリールを装着するためのリール装着部が衣服本体に設けられ、更に、該リール装着部に装着されたピンオンリールに支持される釣り用小物を囲う囲い部を形成するように帯状片が衣服本体に設けられてなる釣り用衣服であって、前記帯状片は、前記囲い部の周方向に伸縮自在となるゴム部材から構成されてなることを特徴とする。【選択図】  図１
2004162234.tif 000002
【特許請求の範囲】
【請求項１】
釣り用小物（Ａ）を支持するピンオンリール（Ｒ）を装着するためのリール装着部（５）が衣服本体（１）に設けられ、更に、該リール装着部（５）に装着されたピンオンリール（Ｒ）に支持される釣り用小物（Ａ）を囲う囲い部（２）を形成するように、帯状片（７）が衣服本体（１）に設けられてなる釣り用衣服であって、
前記帯状片（７）は、前記囲い部（２）の周方向に伸縮自在となるゴム部材から構成されてなることを特徴とする釣り用衣服。
【請求項２】
前記帯状片（７）は、前記衣服本体（１）と共に前記囲い部（２）を形成するように、幅方向両端部が前記衣服本体（１）に取り付けられてなる請求項１記載の釣り用衣服。
【請求項３】
前記帯状片（７）は、下方に向けて前記囲い部（２）が広がるように前記衣服本体（１）に設けられてなる請求項１又は２記載の釣り用衣服。
【発明の詳細な説明】
【０００１】
【発明の属する技術分野】
本発明は、釣りをする際に着用される釣り用衣服に関し、詳しくは、ピンオンリールを装着するためのリール装着部を備えた釣り用衣服に関する。
【０００２】
【従来の技術】
従来より、釣りを行う際には、ハサミ、ラインカッター、ガン玉潰し等の頻繁に使用し且つ紛失し易い釣り用小物をピンオンリールに支持させることが行われている（特許文献１、特許文献２参照。）。
【０００３】
【特許文献１】
特開２０００−３４２１３８号公報
【０００４】
【特許文献２】
特開２００２−２３５２２５号公報
【０００５】
ピンオンリールＲは、一般に、図５に示すごとく、引出糸Ｒ３が巻取方向に付勢された状態で内部に巻き取られたリール本体Ｒ１と、リール本体Ｒ１から露出する引出糸Ｒ３の先端部に取り付けられ、釣り用小物Ａを支持するスナップＲ４等の支持部材と、前記リール本体Ｒ１に取り付けられ、釣り用衣服に装着するための止着ピン等の係止部材（図示せず）とを備えている。このピンオンリールＲは、通常、係止部材を介して釣り用衣服に装着されると共に、支持部材に釣り用小物Ａを支持させて使用される。このように使用することで、要時には、支持させた小物Ａを引っ張ることにより引出糸Ｒ３を引き出して該小物Ａ使用できる。また、不要時には、引き出した小物Ａから手を離すだけで引出糸Ｒ３がリール本体Ｒ１に巻き取られることから、該小物Ａを所定の位置に戻して支持することができる。
【０００６】
ところで、従来、この種のピンオンリールが装着される釣り用衣服としては、衣服本体にピンオンリールを装着するためのリール装着部が設けられ、更に、該リール装着部の下方に、ピンオンリールに支持される釣り用小物を囲う囲い部を形成しうるように帯状片が衣服本体に設けられてなるものが知られている。
このような釣り用衣服において、前記帯状片は、織布から構成されてなり、該帯状片と衣服本体とで囲い部を形成しうるように幅方向両端部が衣服本体に縫着されている。
【０００７】
斯かる釣り用衣服によれば、ピンオンリールに支持させた釣り用小物の少なくとも一部分を囲い部内にて囲うことができる。
従って、釣りの最中に、釣り用小物が揺れ動いたり、不用意に翻ったり、更には、釣糸に引っ掛かったりすること等が抑制され、支持した釣り用小物が種々の動作の邪魔になる虞も低減される。
【０００８】
しかしながら、上記従来の釣り用衣服に於いては、釣り用小物として予定される大きさよりも大きいものをピンオンリールに支持させた場合や支持量が多い場合に、支持した釣り用小物を囲い部内に通すことができないこととなり、該囲い部で囲うことができず、結局、該釣り用小物が種々の作業の邪魔になるという問題が発生しうる。
これに対し、囲い部が必要以上に大きく形成されうるように帯状片を設ける構成では、帯状片が嵩張って、該帯状片が常に邪魔になるという問題も生じうる。
【０００９】
【発明が解決しようとする課題】
そこで、本発明は、上記従来の問題点に鑑み、予定される大きさや量を越える釣り用小物をピンオンリールに支持させた場合でも、これらの釣り用小物が邪魔になる虞が少なく、また、帯状片が常に邪魔になるという虞も少ない釣り用衣服を提供することを課題とするものである。
【００１０】
【課題を解決するための手段】
上記課題を解決すべく、本発明に係る釣り用衣服は、
釣り用小物を支持するピンオンリールを装着するためのリール装着部が衣服本体に設けられ、更に、該リール装着部に装着されたピンオンリールに支持される釣り用小物を囲う囲い部を形成するように帯状片が衣服本体に設けられてなる釣り用衣服であって、
前記帯状片は、前記囲い部の周方向に伸縮自在となるゴム部材から構成されてなることを特徴とする。
【００１１】
斯かる構成からなる釣り用衣服は、予定される大きさや量を超える釣り用小物をピンオンリールに支持させた場合でも、囲い部を周方向に伸長させて該釣り用小物を囲うことができ、支持させた釣り用小物が種々の作業の邪魔になる虞が低減される。また、ピンオンリールを使用しない時には、囲い部が周方向に縮小することから、常に帯状片が嵩張って邪魔になるという虞も低減される。
【００１２】
本発明に於いては、前記帯状片が、前記衣服本体と共に前記囲い部を形成するように、幅方向両端部が前記衣服本体に取り付けられてなる構成を採用することもできる。
【００１３】
また、本発明に於いては、前記帯状片が、下方に向けて前記囲い部が広がるように前記衣服本体に設けられてなるものが好ましい。
斯かる構成によれば、囲い部に囲われている釣り用小物を下方に引き出して使用した後、手を離すだけで釣り用小物はピンオンリールの付勢力に引き戻されて、囲い部内に収まりやすいという利点を有する。
【００１４】
【発明の実施の形態】
以下、本発明の実施の形態について、釣り用ベストを例に取り図面を参照しつつ説明する。
図１は、本実施形態の釣り用ベストを示す正面図である。
本実施形態の釣り用ベストは、前身頃１ａと、該前身頃１ａの側縁部において縫着された後身頃１ｂとから構成された衣服本体１を備えて構成されている。
前記前身頃１ａ及び後身頃１ｂは、例えば、ポリエステル糸のメッシュ編地等からなる柔軟な内側布とポリエステル糸の織布が防水加工されてなる柔軟な外側布とが適宜縫製されて形成されている。
前記前身頃１ａは、一対の左前身頃と右前身頃とを備えてなり、スライドファスナー１０により左右前身頃を連結又は分離しうるように構成されている。
前記左前身頃及び右前身頃の双方には、それぞれ、胸部にて上ポケット８が、胴部にて下ポケット９が設けられている。
【００１５】
また、前記前身頃１ａには、上ポケット８よりも中心より（スライドファスナー１０より）に、ピンオンリールＲを装着するためのリール装着部５が設けられている。また、リール装着部５の下方には、該リール装着部５に装着されたピンオンリールＲに支持される釣り用小物Ａを囲う囲い部２を形成するように、帯状片７が設けられている。即ち、帯状片７と衣服本体１（前身頃１ａ）とで形成され、該帯状片７と衣服本体１とで釣り用小物Ａを囲いうる囲い部２が形成されるように、該帯状片７が設けられている。
尚、このリール装着部５及び帯状片７は、それぞれ右前身頃及び左前身頃の双方に設けられている。
【００１６】
図２は、図１のリール装着部５及び帯状片７を示す要部拡大概略図である。
図２に示すように、前記リール装着部５は、ピンオンリールＲの止着ピンを通す略矩形の止着片５により構成されている。尚、この止着片５は、縫着により前身頃１ａに取り付けられている。
前記止着片５は、合成樹脂等から形成され、止着ピンを貫通させるトンネル状の針通し部５ａを備えて構成されている。
尚、この針通し部５ａは、ピンオンリールＲを縦方向及び横方向のどの方向にも取り付けしうるように、十字状の形態をなしている。
【００１７】
前記帯状片７は、リール装着部５の下方に配され、幅方向（前身頃１ａの横幅方向）の両端部７ａ、７ｂに沿って且つ略平行に前身頃１ａに縫着されている。
この縫着により、該帯状片７と衣服本体１とで筒状をなす囲い部２が形成されるようになっている。この囲い部２は、内周の長さが上下方向に略一定とされている。
尚、帯状片７のスライドファスナー１０側の端部７ａは、スライドファスナー１０を前身頃１ａを構成する生地に縫着する際に同時に縫着されている。
【００１８】
前記帯状片７は、少なくとも幅方向に伸縮自在なゴム部材から構成され、囲い部２が周方向に伸縮自在となっている。
尚、ゴム部材としては、例えば、ウレタンゴム糸等の入った布、ゴム紐、クロロプレンゴムシート等を用いることができる。
【００１９】
図３は、本実施形態の釣り用ベストの使用状態を示す要部拡大概略図である。
図３に示すように、本実施形態の釣り用ベストを使用する場合、先ず、ピンオンリールＲをリール装着部５に装着し、該ピンオンリールＲの引出糸の先端に備えられたスナップＲ４にラインカッター、ハサミ等の釣り用小物Ａを支持させ、該釣り用小物Ａを囲い部２内に入れることにより該囲い部２にて囲わせ、この状態にて釣りを行う。
このとき、釣り用小物Ａが比較的大きな場合で合っても、図３に示すように、囲い部２は周方向に伸長して該釣り用小物Ａを囲うことができ、従って、該釣り用小物Ａが種々の作業の邪魔になる虞が低減される。
【００２０】
尚、図３に示す状態に於いて、例えば、ラインカッターを使用する場合、囲い部２の下方側開口からラインカッターを引き出す。このとき、引出糸がリール本体Ｒ１から繰り出され、スナップＲ４から外すこと無くラインカッターを使用することができる。引出糸はリール本体Ｒ１により巻取方向に付勢されており、使用後は手を離すことにより、釣り用小物Ａを再び囲い部２内に入れて、図３の状態に戻すことができる。
【００２１】
上記実施形態の釣り用ベストは、上記の如く構成され、上述の如く使用されたが、本発明にかかる釣り用衣服は、上記構成に限定されず、適宜設計変更可能である。
例えば、図４に示すように、下方に向けて囲い部２の内周が広がるように帯状片７が衣服本体１に設けられてなる場合であっても本発明の意図する範囲内である。
【００２２】
【発明の効果】
以上のように、本発明にかかる釣り用衣服は、予定される大きさや量を越える釣り用小物をピンオンリールに支持させた場合でも、これらの釣り用小物が邪魔になる虞が少ないという効果を奏する。また、ピンオンリールを使用しない時には、囲い部が周方向に縮小することから、常に帯状片が嵩張って邪魔になるという虞も少ないものとなる。
【図面の簡単な説明】
【図１】一実施形態を示す正面図。
【図２】同実施形態の要部拡大概略図。
【図３】同実施形態の使用状態を示す要部拡大概略図。
【図４】他の実施形態を示す要部拡大概略図。
【図５】ピンオンリールを示す拡大概略図。
【符号の説明】
１・・・衣服本体、５・・・リール装着部、７・・・帯状片
Ａ・・・釣り用小物
Ｒ・・・ピンオンリール
【図１】
2004162234.tif 000003
【図２】
2004162234.tif 000004
【図３】
2004162234.tif 000005
【図４】
2004162234.tif 000006
【図５】
2004162234.tif 000007